(57)【要約】      （修正有）【課題】手動から自動の切換えに際し、確実に従動歯車と原動歯車を正常に噛合させるスライドドアのクロージャを提供する。【解決手段】ラッチをストライカ解放方向にラッチバネにて付勢すると共に、一連の伝動機構を介して一部に欠歯部23ａを有する従動歯車23に連繋し、従動歯車23に原動歯車28を噛合・離脱可能と成す様に、原動歯車28を設けた駆動源を従動歯車23に対し遠近移動自在に設け、従動歯車23からの原動歯車28の離脱時にラッチバネの付勢力にて従動歯車23を回転させて欠歯部23ａが原動歯車28との噛合位置Ｚに配置する様に設定し、その後に原動歯車28を噛合位置Ｚに復帰させると共に、スライドドアの閉鎖でストライカを係合することにて回動するラッチによって伝動機構を介して従動歯車23を回転復帰させ、従動歯車23を欠歯部23ａと未噛合の原動歯車28に噛合復帰させる。【選択図】図１１
2014194135.tif 000002
【特許請求の範囲】
【請求項１】
車体側壁に開設した車両乗降口に嵌まり込んでこれを閉塞する閉鎖位置と、車両乗降口後方の車体側壁外側に重なる全開位置との間を移動自在と成したスライドドアにおいて、該スライドドアに設けたストライカを二股状のフォーク間に係合保持する様に車両乗降口に回動可能に設けたラッチを、ストライカの解放方向にラッチバネにて付勢すると共に、一連の伝動機構を介して一部に欠歯部を有する従動歯車に連繋し、該従動歯車に原動歯車を噛合・離脱可能と成す様に、該原動歯車を設けた駆動源を従動歯車に対し遠近移動自在に設け、ラッチのストライカ受承面を有する一方のフォークに重合可能なストライカ検知レバーをラッチの支軸に回転自在に枢着すると共に、ストライカ受承面の前方に付勢し、従動歯車と原動歯車の噛合状態で、ストライカ検知レバーがストライカを受承して前記一方のフォークに重合するストライカ係合開始位置に達したときにストライカ係合方向へラッチを回動させるべく駆動源を作動する様に設定し、従動歯車からの原動歯車の離脱時には、前記ラッチバネの付勢力にて伝動機構を介して従動歯車を回転させ、その欠歯部が原動歯車との噛合位置に配置する様に設定し、その後に原動歯車を前記噛合位置に復帰させると共に、スライドドアの閉鎖でストライカを係合することにて回動するラッチによって伝動機構を介して従動歯車を回転復帰させ、該従動歯車をこれの欠歯部と未噛合の原動歯車に噛合復帰させる様に設定したことを特徴とする車両用スライドドアのクロージャ。
【請求項２】
従動歯車に対する駆動源の遠近移動に対応してスライドドアの手動開閉及び自動開閉を切り換えられる様に設定したことを特徴とする請求項１記載の車両用スライドドアのクロージャ。
【請求項３】
従動歯車において、上記噛合復帰時に原動歯車と最初に噛合する歯の歯末の面を傾斜面と成したことを特徴とする請求項１又は２記載の車両用スライドドアのクロージャ。
【発明の詳細な説明】
【技術分野】
【０００１】
本発明は、車体の外側面に沿ってスライドさせて車両乗降口を開閉する車両用スライドドアにおいて、スライドドアに設けたストライカとかみ合ってスライドドアを閉鎖位置に保持するクロージャに関する。
【背景技術】
【０００２】
特許文献１には、空気圧シリンダから成るドアエンジンのピストンロッドの伸縮でスライド開閉する車両用スライドドアにおいて、乗降口後端縁には、別途空気圧シリンダから成り、これのピストンロッド先端にその動きに応じて水平回動して、スライドドアに設けたストライカに係合・離脱可能なラッチを設けたクロージャが開示されている。
このスライドドアでは、ドアスイッチを開位置に動かすと、ラッチによるストライカの係合が解除され、ドアエンジンがスライドドアを後方側へと押し出して乗降口を開口し、逆にドアスイッチを閉位置に動かすと、ドアエンジンがスライドドアを前方側へ引き戻して乗降口を閉鎖し、スライドドアのストライカにラッチが係合することによりスライドドアを閉鎖位置に保持する。
そして、非常時にはドアエンジンとクロージャのロッド室側を大気圧に開放することでスライドドアを手動で開放できる様にしている。
【０００３】
しかしながら、上記構成のスライドドアでは、ドアエンジンとクロージャのロッド室側を一旦大気圧に開放すると、手動状態から自動に切り換えられないので、非常時にのみしか手動に切り換えられない不具合を有している。
このため、出願人は、上記クロージャの駆動部に特許文献２に開示される駆動部を利用、即ちラッチを一連の伝動機構を介して従動歯車に連繋し、該従動歯車に原動歯車を噛合・離脱可能と成す様に、該原動歯車を設けた駆動源を従動歯車に対し遠近移動自在に設けることにより、クロージャを自動と手動に切り換えられる手段を採用することにした。
【０００４】
ところで、上記駆動部は、特許文献２に開示される様に、車両用格納式補助ステップに組み込まれたものであるから、非常時には、従動歯車から原動歯車を一旦離脱させて手動で補助ステップを車両下部の格納位置に配置させた後に、従動歯車に原動歯車を再度噛合させて補助ステップが車両走行中に勝手に張り出さない様に成している。
上記の従動歯車に対する原動歯車の噛合復帰において、一方の歯車の歯先が他方の歯車の歯元に当たって正常な噛み合いができない、いわゆる歯の干渉が生じた場合でも、補助ステップは比較的軽く、補助ステップを軽く揺さ振れば、その噛み合いを正常に戻すことが難なく解消できた。
【先行技術文献】
【特許文献】
【０００５】
【特許文献１】特開２００７−２３１７２０号公報
【特許文献２】特開２００４−３５９０６７号公報
【発明の概要】
【発明が解決しようとする課題】
【０００６】
しかしながら、車両用スライドドアのクロージャ、特にバスなどの中型又は大型車両に適用されたクロージャにあっては、そのスライドドアが補助ステップに比して非常に重く、閉鎖状態のスライドドアを手動開放すべく上記と同様に従動歯車から一旦原動歯車を離脱させ、手動開放後に従動歯車に原動歯車を噛合復帰させた場合において、両歯車の歯が干渉したときには、スライドドアを揺さ振っても、その噛み合いを正常に戻せるほどに両歯車を動かすことができず、クロージャを正常に自動操作状態に切り換えられないとった不具合を生ずることが想定された。
そこで、本発明では、クロージャにおいてスライドドアの手動操作状態から自動操作状態に切り換えるに際し、確実に従動歯車と原動歯車を正常に噛み合わせられる様にした車両用スライドドアのクロージャを提供することを目的としている。
【課題を解決するための手段】
【０００７】
上記課題に鑑み、本発明の車両用スライドドアのクロージャは、車体側壁に開設した車両乗降口に嵌まり込んでこれを閉塞する閉鎖位置と、車両乗降口後方の車体側壁外側に重なる全開位置との間を移動自在と成したスライドドアにおいて、該スライドドアに設けたストライカを二股状のフォーク間に係合保持する様に車両乗降口に回動可能に設けたラッチを、ストライカの解放方向にラッチバネにて付勢すると共に、一連の伝動機構を介して一部に欠歯部を有する従動歯車に連繋し、該従動歯車に原動歯車を噛合・離脱可能と成す様に、該原動歯車を設けた駆動源を従動歯車に対し遠近移動自在に設け、ラッチのストライカ受承面を有する一方のフォークに重合可能なストライカ検知レバーをラッチの支軸に回転自在に枢着すると共に、ストライカ受承面の前方に付勢し、従動歯車と原動歯車の噛合状態で、ストライカ検知レバーがストライカを受承して前記一方のフォークに重合するストライカ係合開始位置に達したときにストライカ係合方向へラッチを回動させるべく駆動源を作動する様に設定し、従動歯車からの原動歯車の離脱時には、前記ラッチバネの付勢力にて伝動機構を介して従動歯車を回転させ、その欠歯部が原動歯車との噛合位置に配置する様に設定し、その後に原動歯車を前記噛合位置に復帰させると共に、スライドドアの閉鎖でストライカを係合することにて回動するラッチによって伝動機構を介して従動歯車を回転復帰させ、該従動歯車をこれの欠歯部と未噛合の原動歯車に噛合復帰させる様に設定したことを特徴とする。
そして、従動歯車に対する駆動源の遠近移動に対応してスライドドアの手動開閉及び自動開閉を切り換えられる様に設定するのがより望ましく、又従動歯車において、上記噛合復帰時に原動歯車と最初に噛合する歯の歯末の面を傾斜面と成すのがより良い。
【発明の効果】
【０００８】
要するに本発明は、スライドドアに設けたストライカを二股状のフォーク間に係合保持する様に車両乗降口に回動可能に設けたラッチを、ストライカの解放方向にラッチバネにて付勢すると共に、一連の伝動機構を介して一部に欠歯部を有する従動歯車に連繋し、該従動歯車に原動歯車を噛合・離脱可能と成す様に、該原動歯車を設けた駆動源を従動歯車に対し遠近移動自在に設け、ラッチのストライカ受承面を有する一方のフォークに重合可能なストライカ検知レバーをラッチの支軸に回転自在に枢着すると共に、ストライカ受承面の前方に付勢し、従動歯車と原動歯車の噛合状態で、ストライカ検知レバーがストライカを受承して前記一方のフォークに重合するストライカ係合開始位置に達したときにストライカ係合方向へラッチを回動させるべく駆動源を作動する様に設定したので、スライドドア閉鎖時にストライカが先にストライカ検知レバーを押圧し、該ストライカ検知レバーがラッチのストライカ受承面を有する一方のフォークに重合すると同時に、ストライカがラッチのストライカ受承面に触突すると、ラッチがストライカをフォーク間に引き込みながらその係合方向へ回動することができるため、ラッチはストライカを確実にして正確に係合でき、スライドドアの閉鎖状態を保持できる。
【０００９】
又、従動歯車からの原動歯車の離脱時には、上記ラッチバネの付勢力にて伝動機構を介して従動歯車を回転させ、その欠歯部が原動歯車との噛合位置に配置する様に設定したので、この後に原動歯車を従動歯車との前記噛合位置に復帰させても、該噛合位置は従動歯車の欠歯部に相当し、この状態で歯の干渉が生ずることがない。
そして、かかる原動歯車の復帰状態において、スライドドアを閉鎖することでストライカを係合することにてストライカ検知レバーと共に回動するラッチによって伝動機構を介して従動歯車を回転復帰させ、該従動歯車をこれの欠歯部と未噛合の原動歯車に噛合復帰させる様に設定したので、一方の歯車の歯先が他方の歯車の歯元に当たる様なことなく、確実に両歯車を正常な噛合状態と成すことができる。
この噛合状態の成立後、スライドドアの閉鎖が進行し、ストライカを係合しているラッチがストライカ検知レバーと共にストライカ係合開始位置に達すると、上記と同様に駆動源が作動し、ラッチがストライカを係合するので、クロージャを手動操作から確実に自動操作状態に切り換えつつスライドドアの閉鎖状態を保持できる。
【００１０】
そして、従動歯車に対する駆動源の遠近移動に対応してスライドドアの手動開閉及び自動開閉を切り換えられる様に設定することにより、従動歯車から駆動源を遠ざければ、スライドドアを手動開閉可能状態と成すことができ、スライドドアの手動開放後に従動歯車に駆動源を近づけてクロージャを自動操作状態に切り換えるに際し、スライドドアを自動で閉鎖させることにより、自動的にクロージャを上記の様に自動操作状態に切り換えることができ、最後まで手動でスライドドアを閉鎖する必要がなく、便利である。
【００１１】
従動歯車において、上記噛合復帰時に原動歯車と最初に噛合する歯の歯末の面を傾斜面と成したので、原動歯車の上記復帰状態において、スライドドアの閉鎖で従動歯車をこれの欠歯部と未噛合の原動歯車に噛合復帰させる時に、相互の歯が干渉することなく、よりスムーズに原動歯車と従動歯車を正常に噛み合わせることができる等その実用的効果甚だ大である。
【図面の簡単な説明】
【００１２】
【図１】スライドドアの開放状態を示す簡略平面図である。
【図２】図１のＡ矢視図である。
【図３】スライドドアのドア開閉装置とクロジャーを示す斜視図である。
【図４】クロジャーの一部省略斜視図である。
【図５】ドアロック装置の一部破断正面図である。
【図６】図５のＢ−Ｂ断面図である。
【図７】図６の状態における駆動部の原動歯車と従動歯車の噛合状態を示す図である。
【図８】ストライカ検知レバーにストライカが触突した時のドアロック装置の一部破断平面図である。
【図９】図８の状態における駆動部の原動歯車と従動歯車の噛合状態を示す図である。
【図１０】噛合位置に復帰した原動歯車の従動歯車との未噛合状態でストライカ検知レバーにストライカが触突した時のドアロック装置の一部破断平面図である。
【図１１】図１０の状態における駆動部の原動歯車と従動歯車の未噛合状態を示す図である。
【図１２】通常の駆動部の一部省略正面図である。
【図１３】従動歯車から原動歯車を離脱させた直後の状態を示す駆動部の一部省略正面図である。
【発明を実施するための形態】
【００１３】
以下本発明の実施の一形態例を図面に基づいて説明する。
図１、２に示す車両用スライドドア１（以下、単にドア１と称する。）は、バス、ワンボックスカーなどの車両において、ドア閉鎖状態でドア１外面が車体側壁２外面と面一となるプラグドアとも称される戸袋を有しない引き戸であり、ドア１が車体側壁２に開設した車両乗降口３に嵌まり込んでこれを閉塞する閉鎖位置Ｘと、車両乗降口３後方の車体側壁２外側に重なる全開位置Ｙとの間を、車両乗降口３上部に設置されたドア開閉装置４（図３参照）の作動により図１中の一点鎖線で示す軌道Ｒに沿って移動自在と成すことにより車両乗降口３を自動開閉する。
【００１４】
上記ドア１において、その後部内側の所定高さ位置には方形凹部1aを形成し、該方形凹部1a内には、その開口部に臨む様に丸棒状のストライカ５をその上下にわたって垂直に架設している。
【００１５】
本発明に係るクロジャーは、車両乗降口３でストライカ５を係合保持及び解放するドアロック装置６と、該ドアロック装置６の上方にしてドア開閉装置４の下部に離間配置されたドアロック装置６の駆動部７と、該駆動部７とドアロック装置６とを連繋する一連の伝動機構８とから主に構成されている。
【００１６】
ドアロック装置６は、車両乗降口３後方の車体側壁２内側の所定高さ位置に設置され、そのフレーム９の図１、２において右側（車両前方に相当）が車両乗降口３へ突出すると共に、フレーム９右側における閉鎖状態のドア１との対向面（以下、背面と称する。）側には、ストライカ５を左右二股状のフォーク10、11間に係合保持する様に水平回動可能に設けた板状のラッチ12を、車両乗降口３の後端縁より車両外方へ突設している。
【００１７】
フレーム９は、右側背面と左側面を開放した横長箱形から成り、フレーム９右側の背面開口部からラッチ12のフォーク10、11を有する先端側を突出すると共に、フレーム９右側の上下面には、ラッチ12の基端側上下に突設した支軸12ａを枢着している（図５参照）。
【００１８】
ラッチ12において、ストライカ受承面11ａを有する一方のフォーク11は図１において右側に設けられ、左側に設けられた他方のフォーク10よりも長く形成されている。
そして、ラッチ12の基端は断面コ字状のアーム13の先端に設けた二股ジョイント間に垂直な枢軸を以て枢着され、アーム13の基端は伝動機構８を介して駆動部７に連繋され、該駆動部７の作動にて進退するアーム13によりラッチ12を水平回動させる様に成している（図３〜５参照）。
【００１９】
又、ラッチ12は、その下面左側とフレーム９下面との間に引張コイル状のラッチバネ14を介装して、ストライカ５の解放方向（図１において左側）に付勢されている。
更に、ラッチ12のストライカ受承面11ａを有する一方のフォーク11上面には、該フォーク11と同形のストライカ検知レバー15を重合可能にラッチ12の支軸12ａに回転自在に枢着している。
【００２０】
そして、ストライカ検知レバー15は、その上面の図１において左側（図４では右側）とフレーム９上面底部との間に引張コイル状のレバーバネ16を介装して、ストライカ受承面11ａの前方（図１において左側）に付勢される。
ストライカ検知レバー15の基端には、カム15ａが設けられると共に、該カム15ａの近傍にはマイクロスイッチ17が配置され、ストライカ検知レバー15がストライカ５を受承して一方のフォーク11に重合するストライカ係合開始位置Ｓに達したときに、カム15ａがマイクロスイッチ17のスイッチレバー17ａを押圧して駆動部７に装備される駆動源18を作動させて、伝動機構８及びアーム13を介してラッチ12をストライカ係合方向（図１において右側）へ水平回動させる様に設定している。
【００２１】
尚、ラッチ12の支軸12ａにおいて、フレーム９下面より下方突出する部位には、上下にカム19、20を設けると共に、該カム19、20の夫々にはマイクロスイッチ21、22を近接配置している（図５参照）。
【００２２】
上方のカム19は、駆動源18の作動でラッチ12がストライカ解放方向に水平回動してストライカ５の解放を完了したときに、マイクロスイッチ21のスイッチレバー21ａを押圧して駆動源18を停止させる様に設定している（図８参照）。
下方のカム20は、図６に示す様に駆動源18の作動でラッチ12がストライカ係合方向に水平回動してストライカ５の係合を完了したときに、マイクロスイッチ22のスイッチレバー22ａを押圧して駆動源18を停止させる様に設定している。
【００２３】
伝動機構８は、駆動部７に装備された従動歯車23とアーム13の基端とを連繋し、一部に欠歯部23ａを有する従動歯車23の正逆回転により進退するアーム13を介してラッチ12をストライカ５の係合又は解放方向に水平回動させる。
具体的には、図５に示す様にフレーム９左側背面の車体側壁２内側に衝合固定された固定板9aに屈曲部が枢着されると共に、一端がアーム13の基端に設けた二股ジョイント間に水平な枢軸を以て枢着されたベルクランク24と、該ベルクランク24の他端に下端を枢着した縦走連杆25と、図４、７に示す如く縦走連杆25の上端に先端が枢着されると共に、基端が従動歯車23の車軸26に軸着されたクランク27とから成る。
【００２４】
駆動部７は、従動歯車23に原動歯車28を噛合・離脱可能と成す様に、該原動歯車28を設けた正逆回転自在な電動モータから成る駆動源18を従動歯車23に対し遠近移動自在に設けている。
尚、図中の原動歯車28は、説明の便宜上、その歯を省略している。
【００２５】
この駆動部７にあっては、図３に示すドア開閉装置４の支持基板下部に車体側壁２に平行な固定板29を垂設している。
図12、13に示す様に、固定板29は、その裏面に従動歯車23を配すると共に、該従動歯車23の近傍には、駆動源18の移動方向に長い長孔30を形成し、該長孔30に原動歯車28を固定板29表面より挿通すると共に、駆動源18を表面に固定した可動板31を固定板29表面に摺動自在に衝合している。
【００２６】
可動板31はその裏面へ原動歯車28を挿通して成り、その適所に駆動源18の移動方向に長い複数の長孔32を形成し、該長孔32より大径なワッシャと共にボルトを長孔32に通して固定板29に螺着し、これにより可動板31は固定板29に摺動自在に衝合される。
【００２７】
そして、固定板29の裏面適所には、へ字状の自手動切換レバー33の屈曲部に設けた支軸33ａを枢着し、自手動切換レバー33の先端方の上面に突設した摺動ピン34を、固定板29及び可動板31に穿設した第一、第二案内孔35、36に摺動自在に挿着している。
【００２８】
固定板29に形成した第一案内孔35は、支軸33ａを中心とした円弧状の孔であり、この第一案内孔35と同一円弧（長さ）にして中心を若干偏心させた第二案内孔36が可動板31に形成されており、従動歯車23と原動歯車28の噛合状態で第一、第二案内孔35、36の一端35ａ、36ａが重なり、従動歯車23からの原動歯車28の離脱状態で第一、第二案内孔35、36の他端35ｂ、36ｂが重なる様に設定している。
【００２９】
したがって、自手動切換レバー33の揺動操作によって、摺動ピン34が第一、第二案内孔35、36の一端35ａ、36ａに位置したときに、両歯車23、28が噛合し、他端35ｂ、36ｂに位置したときに、原動歯車28が従動歯車23から離脱する。
【００３０】
そして、従動歯車23からの原動歯車28の離脱時には、ラッチバネ14の付勢力にて伝動機構８を介して従動歯車23を回転させ、その欠歯部23ａが原動歯車28との噛合位置Ｚに配置する様に設定し、その後に原動歯車28を噛合位置Ｚに復帰させると共に、ドア１の閉鎖でストライカ５を係合することにて回動するラッチ12によって伝動機構８を介して従動歯車23を回転復帰させ、該従動歯車23をこれの欠歯部23ａと未噛合の原動歯車28に噛合復帰させる様に設定している。
尚、従動歯車23にあっては、上記噛合復帰時に原動歯車28と最初に噛合する歯の歯末の面23ｂを傾斜面と成すのがより望ましい。
【００３１】
又、自手動切換レバー33の先端には、引張コイル状のバネ37の一端を掛止し、該バネ37の他端を固定板29の適所に掛止しており、このバネ37により自手動切換レバー33の各揺動（摺動ピン34が第一、第二案内孔35、36の一端35ａ、36ａ及び他端35ｂ、36ｂの夫々に位置した）状態を保持する様に成している。
【００３２】
尚、自手動切換レバー33の上記揺動操作は、固定板29の前端に駆動源18の厚みよりも高い段差を以て固定板29表面より迫り出す様に固定したブラケット38に前後揺動自在に装着した操作杆39を揺動することにより成される。
一方、固定板29には、支軸33ａを中心とした自手動切換レバー33基端の軌道に沿って円弧孔40が穿設され、該円弧孔40を通して自手動切換レバー33基端より突設した支持杆41と、操作杆39の適所とが連接杆42で枢着連結され、これにより操作杆39の前後揺動を連接杆42を介して自手動切換レバー33に連動させ、第一、第二案内孔35、36内の摺動ピン34がその端部35ａ、36ａ、35ｂ、36ｂ間を摺動できる様に成している。
【００３３】
操作杆39は通常は図12に示す前方（図の右側）揺動状態にあって、この操作杆39の前方揺動状態では、自手動切換レバー33の摺動ピン34が、固定板29及び可動板31の第一、第二案内孔35、36の一端35ａ、36ａに位置してこれらを重ならせることにより、従動歯車23に駆動源18が近接して従動歯車23と原動歯車28が噛合し、図13に示す操作杆39の後方（図の左側）揺動状態では、自手動切換レバー33の摺動ピン34が、固定板29及び可動板31の第一、第二案内孔35、36の他端35ｂ、36ｂに位置してこれらを重ならせることにより、従動歯車23より駆動源18が遠ざかり、原動歯車28が従動歯車23から離脱する。
【００３４】
又、自手動切換レバー33基端の支持杆41には、ドア開閉装置４の駆動部4aに設けた自手動切換レバー4bを揺動操作するプッシュプルケーブル43の一端が取付けられており、該プッシュプルケーブル43を介して操作杆39の揺動をドア開閉装置４の自手動切換レバー4bにも伝動する様にして、ドア開閉装置４の駆動部4aによる動力伝達を断続させ、従動歯車23に対する駆動源18の遠近移動に対応してドア１の開閉を手動又は自動に切り換えられる様に設定している。
【００３５】
即ち、図12に示す操作杆39の通常の前方揺動状態では、自手動切換レバー33の揺動で従動歯車23と原動歯車28を噛合させると共に、プッシュプルケーブル43の引張状態を保持してドア開閉装置４の駆動部4aを動力伝達可能状態と成し、ドア１を自動開閉可能状態とし、図13に示す操作杆39の後方揺動状態では、自手動切換レバー33の揺動で原動歯車28を従動歯車23から離脱させると共に、プッシュプルケーブル43の押進状態を保持してドア開閉装置４の駆動部4aによる動力伝達を遮断し、ドア１を手動開閉可能状態としている。
【００３６】
上記の様に構成されたクロジャーにあっては、ドア１の開放状態では、図９に示す様に停止している原動歯車28によってこれに噛合している従動歯車23は設定された回転位置での停止が保持され、これにより従動歯車23と同軸26で同様に設定された回転角を以て傾斜するクランク27によって縦走連杆25を所定の高さ位置に保持する。
かかる高さ位置に保持された縦走連杆25はベルクランク24を介してアーム13を所定の押進位置に保持し、その先端のラッチ12を図１、８に示すストライカ５の待機位置に保持しており、ストライカ検知レバー15は、ラッチ12のフォーク11のストライカ受承面11ａの前方にレバーバネ16にて付勢されている。
【００３７】
上記のドア開放状態からドア１を自動閉鎖する場合、ドア開閉装置４の駆動部4aの作動によりドア１を閉鎖方向へ軌道Ｒに倣って移動させる。
そして、ドア１の閉鎖間際では、図８に示す様にストライカ５が、ストライカ検知レバー15に触突してこれを支軸12ａを中心に押圧回動させ、ストライカ検知レバー15がラッチ12のフォーク11に重合するストライカ係合開始位置Ｓに達する。
【００３８】
これにより、ストライカ検知レバー15のカム15ａがマイクロスイッチ17のスイッチレバー17ａを押圧してＯＮし、駆動源18を作動させる。
駆動源18の作動により、原動歯車28が回動してこれに噛合している従動歯車23をクランク27を介して縦走連杆25を図９の状態から図７の状態へ引き上げる方向へ回転させる。
【００３９】
縦走連杆25が引き上げられると、ベルクランク24を介してアーム13が牽引されてラッチ12はフォーク10、11間にストライカ５を引き込むみながらその係合方向へ水平回動し、図６に示す如くフォーク10、11間にストライカ５が係合保持されると、支軸12ａに取付けられたカム20がマイクロスイッチ22のスイッチレバー22ａを押圧してＯＮし、駆動源18を停止させる。
同時にドア１は閉鎖位置Ｘで車両乗降口３に嵌まり込んでこれを閉塞し、ドア開閉装置４の駆動部4aも停止する。
【００４０】
又、ドア１の自動開放は、クロジャーの駆動源18と共にドア開閉装置４の駆動部4aを作動させる。
このときクロジャーの駆動部７では、原動歯車28を上記の逆方向に回動させ、同様に従動歯車23を逆回転させ、クランク27を介して縦走連杆25を定位置まで引き下げ、ドアロック装置６では、ベルクランク24を介してアーム13を押進することでラッチ12を上記と逆方向に回転させ、該ラッチ12に係合保持されているストライカ５を解放する。
【００４１】
そして、支軸12ａに取付けられたカム19がマイクロスイッチ21のスイッチレバー21ａを押圧してＯＮし、駆動源18を停止させる。
その後もドア開閉装置４によって、ドア１は軌道Ｒに沿って移動し、全開位置Ｙへ到達すると駆動部4aは停止する。
【００４２】
尚、必要に応じドア１を手動開閉する場合には、駆動部７における操作杆39を通常の揺動状態（図12参照）から後方へ揺動操作することにより、原動歯車28（駆動源18）を従動歯車23から離脱させると共に、ドア開閉装置４の駆動部4aによる動力伝達を遮断してドア１の開閉を手動に切り換える（図13参照）。
これにより、ドア１は手動による開閉が可能となり、ラッチ12によるストライカ５の拘束力は解除され、ラッチ12にはラッチバネ14のストライカ５の解放方向への付勢力が作用しているだけなので、例えば閉鎖状態のドア１を手動で開放方向へ移動させるだけで、ラッチ12はストライカ５を開放する。
【００４３】
上記の様に従動歯車23から原動歯車28を離脱させると、ラッチ12はラッチバネ14の付勢力にて図10で二点鎖線で示すストライカ５の係合保持状態から実線で示す様にストライカ５の解放方向へ水平回動するため、アーム13、ベルクランク24を介して縦走連杆25は降下して従動歯車23をその欠歯部23ａが原動歯車28との噛合位置Ｚに対応する様に回転させる。
尚、ストライカ検知レバー15は、ラッチ12のストライカ５の解放後はレバーバネ16の付勢力により、図10で実線で示す定位置へ復帰する。
【００４４】
そして、ドア１の開閉を自動に切り換えるには、ドア１の手動開放状態で、操作杆39を上記と逆の前方へ揺動させ、原動歯車28を従動歯車23との噛合位置Ｚに復帰（図11参照）させる。
かかる状態では、原動歯車28の復帰した噛合位置Ｚには、従動歯車23の欠歯部23ａが対応しており、歯車28、23同士で歯が干渉することがない。
【００４５】
一方、ドア開閉装置４によるドア１の自動開閉は可能なため、ドア開閉装置４にてドア１を自動閉鎖する。
すると、ドア１と共にその閉鎖方向へ進行するストライカ５がストライカ検知レバー15と共にラッチ12に係合し、該ラッチ12を回動させる。
【００４６】
そして、ラッチ12と共に回動するストライカ検知レバー15がストライカ係合開始位置Ｓ（図10中一点鎖線で示す。）に達するまでの間に、ストライカ５の上記押進によるラッチ12の回動によって、伝動機構８を介して従動歯車23を回転復帰させ、該従動歯車23をこれの欠歯部23ａと未噛合の原動歯車28に噛合復帰させる。
【００４７】
これにより、歯車23、28の一方の歯先が他方の歯元に当たる様なことなく、両歯車23、28を正常な噛合状態に復帰させられる。
しかも、従動歯車23において、上記噛合復帰時に原動歯車28と最初に噛合する歯の歯末の面23ｂを傾斜面と成しているので、相互の歯が干渉することなく、よりスムーズに原動歯車28と従動歯車23を正常に噛み合わせられる。
【００４８】
この噛合状態の成立後、ドア開閉装置４によるドア１の自動閉鎖が進行し、ストライカ５を係合しているラッチ12がストライカ検知レバー15と共にストライカ係合開始位置Ｓに達すると、上記と同様に駆動源18が作動し、ラッチ12がストライカ５を引き込み係合するので、クロージャを手動操作から確実に自動操作状態に切り換えつつドア１の閉鎖状態を保持できる。
【符号の説明】
【００４９】
１    スライドドア
２    車体側壁
３    車両乗降口
５    ストライカ
８    伝動機構
10    フォーク
11    フォーク
11ａ  ストライカ受承面
12    ラッチ
12ａ  支軸
14    ラッチバネ
15    ストライカ検知レバー
18    駆動源
23    従動歯車
23ａ  欠歯部
23ｂ  歯末の面
28    原動歯車
Ｓ    ストライカ係合開始位置
Ｘ    閉鎖位置
Ｙ    全開位置
Ｚ    噛合位置
【図１】
2014194135.tif 000003
【図２】
2014194135.tif 000004
【図３】
2014194135.tif 000005
【図４】
2014194135.tif 000006
【図５】
2014194135.tif 000007
【図６】
2014194135.tif 000008
【図７】
2014194135.tif 000009
【図８】
2014194135.tif 000010
【図９】
2014194135.tif 000011
【図１０】
2014194135.tif 000012
【図１１】
2014194135.tif 000013
【図１２】
2014194135.tif 000014
【図１３】
2014194135.tif 000015